【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
表示面側となる第１基板と、
第１基板上に配置された第１透明電極、透明絶縁層及び第１透明駆動電極と、
前記第１基板に対向して配置された非表示面側となる第２基板と、
該第２基板上に配置された第２電極、絶縁層及び第２駆動電極と、
前記第１基板と第２基板間の隔壁に充填された絶縁性液体と、
該絶縁性液体中に分散された着色泳動微粒子とを備え、
画像表示は、前記第１透明電極と第２電極間に交流電源を印加して、前記絶縁性液体を交流電場で撹拌して、表示面側及び非表示面側に付着する前歴表示画像を消去すると共に、前記第１透明駆動電極と第２駆動電極間に表示用直流電界を印加し、前記着色泳動微粒子を表示面側に垂直移動させることにより行われる電気泳動表示素子。
【請求項２】
表示面側となる第１基板と、
第１基板上に配置された磁場発生用第２透明電極、透明絶縁層及び第１透明駆動電極と、
前記第１基板に対向して配置された非表示面側となる第２基板と、
該第２基板上に配置された磁場発生用第３電極、絶縁層及び第２駆動電極と、
前記第１基板と第２基板間の隔壁に充填された絶縁性液体と、
該絶縁性液体中に分散された着色泳動微粒子とを備え、
画像表示は、前記第２透明電極と第３電極間に交流電流を通電して交流磁場を発生させ、前記絶縁性液体を交流磁場で撹拌して、表示面側及び非表示面側に付着する前歴画像を消去すると共に、前記第１透明駆動電極と第２駆動電極間に表示用直流電界を印加し、前記着色泳動微粒子を表示面側に垂直移動させることにより行われる電気泳動表示素子。
【請求項３】
表示面側となる第１基板と、
第１基板上に配置された第１透明電極、透明絶縁層、磁場発生用第２透明電極、透明絶縁層及び第１透明駆動電極と、
前記第１基板に対向して配置された非表示面側となる第２基板と、
該第２基板上に配置された第２電極、絶縁層、磁場発生用第３電極、絶縁層及び第２駆動電極と、
前記第１基板と第２基板間の隔壁に充填された絶縁性液体と、
該絶縁性液体中に分散された着色泳動微粒子とを備え、
画像表示は、前記第１透明電極と第２電極間に交流電界を印加して交流電場を発生し、前記第２透明電極と第３電極間に交流電流を通電して交流磁場を発生して、交流電場と交流磁場とを重畳し絶縁性液体を撹拌して、表示面側及び非表示面側に付着する前歴表示画像を消去すると共に、前記第１透明駆動電極と第２駆動電極間に表示用直流電界を印加し、前記着色泳動微粒子を表示面側に垂直移動させることにより行われる電気泳動表示素子。
【請求項４】
前記第２基板側に透光性材料を使用し、裏面側から透過光を照射できる構造にした請求項１から３のいずれかに記載の電気泳動表示素子。
【請求項５】
前記隔壁により３分割又は４分割されている請求項１から４のいずれかに記載の電気泳動表示素子。
【請求項６】
前記絶縁性液体及び着色泳動微粒子は、インクジエット方式により注入された請求項１から５のいずれかに記載の電気泳動表示素子。
【請求項７】
請求項１から６のいずれかに記載の電気泳動表示素子を、単純マトリックス方式又はＴＦＴマトリックス方式により駆動する電気泳動表示装置。
【請求項８】
請求項１に記載の電気泳動表示素子に用いられる着色泳動微粒子であって、
高分子微粒子原料モノマ−に、電子トラップとなる材料、顔料等を添加し、懸濁重合法・乳化重合法・分散重合法等により、５〜１０μｍの真球状微粒子を作成した後、これに１０〜５０ｋＧｙの電子線を照射し、９０〜１１０℃で十数分間加熱するか、９０〜１１０℃で１０〜５０ｋＧｙの電子線を照射して、エレクトレット性負電荷を帯電した微粒子で、−５０〜−１００ｍＶのζ電位をもち、所望の色彩に着色した着色泳動微粒子。
【請求項９】
請求項２に記載の電気泳動表示素子に用いられる着色泳動微粒子であって、
高分子微粒子原料モノマ−に、電子トラップとなる材料、顔料等、磁性微粒子を加え、懸濁重合法・乳化重合法・分散重合法等により、５〜１０μｍの真球状微粒子を作成した後、これに１０〜５０ｋＧｙの電子線を照射し、９０〜１１０℃で十数分間加熱するか、９０〜１１０℃で１０〜５０ｋＧｙの電子線を照射して、エレクトレット性負電荷を帯電した微粒子で、−５０〜−１００ｍＶのζ電位と、５×１０−４Ｗｂの磁荷を合わせもち、所望の色彩に着色した着色泳動微粒子。
【請求項１０】
顔料等により、赤、緑、青、黒、マゼンタ、イエロ−、シアン色等に着色したもので、真球状に形成されている請求項８または９に記載の着色泳動微粒子。
【請求項１１】
請求項１から３のいずれかに記載の電気泳動表示素子に用いられる絶縁性液体であって、
高分子微粒子原料モノマ−に、正孔トラップ材料と、酸化亜鉛、酸化チタン等の酸化物系白色超微粉末を加え懸濁重合法、乳化重合法、分散重合法等により、０．１〜１μｍの真球状超微粒子を作成した後、これに１〜１５ｋＧｙのガンマ線を照射し、９０〜１１０℃で十数分間加熱するか、９０〜１１０℃で１〜１５ｋＧｙのガンマ線を照射して、エレクトレット性正電荷を帯電した白色正荷電微粒子で、５〜５０ｍＶのζ電位をもつ前記白色正荷電微粒子を、炭化水素絶縁性液体またはシリコ−ン系絶縁性液体等に５〜２０％分散した絶縁性液体。
【請求項１２】
前記高分子微粒子原料モノマ−は、アクリル系、ポリエステル系、スチレン系、ポリカ−ボネ−ト系等の樹脂で、正孔トラップとなる材料は、Ｓｉの酸化物（ＳｉＯ２）アモルファス又はシリコン酸化物（Ｓｉ：Ｈ：Ｏ１−ｘ）の超微粒子である請求項１１に記載の絶縁性液体。
【請求項１３】
前記第１基板及び前記第２基板は、ガラス又はポリマ−・フイルムである請求項１から６のいずれかに記載の電気泳動表示素子。
【請求項１４】
前記第１基板及び前記第２基板の距離が、前記着色泳動微粒子の粒径の５０倍か、２００μｍ以下である請求項１から６のいずれかに記載の電気泳動表示素子。
【請求項１５】
前記着色泳動微粒子は、真球状着色正荷電微粒子及び真球状着色正荷電磁性微粒子を含んでいる請求項３に記載の電気泳動表示素子。
【請求項１６】
前記絶縁性液体を構成する白色正荷電微粒子と、着色泳動微粒子の粒径比が１／２〜１／１０の範囲にあることを特徴とする請求項１から６のいずれかに記載の電気泳動表示素子。        
【請求項１７】
請求項１に記載の電気泳動表示素子を駆動する方法であって、
前記第１透明電極と第２電極間に交流電源を印加して、白色の前記絶縁性液体を交流電場で撹拌して、表示面側及び非表示面側に付着する前歴表示画像を消去するステップと、
前記第１透明駆動電極と第２駆動電極間に表示用直流電界を印加し、前記着色泳動微粒子を表示面側に垂直移動させ画像表示するステップと、
表示後再び前記第１透明電極と第２電極間に交流電界を印加して、前記絶縁性液体を撹拌し前歴表示画像を消去するステップと、
前記着色泳動微粒子を非表示面側に垂直移動し、表示面側を白色表示するステップとを備える電気泳動表示素子の駆動方法。
【請求項１８】
請求項２に記載の電気泳動表示素子を駆動する方法であって、
前記第２透明電極と第３電極間に交流電流を通電して交流磁場を発生させ、白色の前記絶縁性液体を交流磁場で撹拌して、表示面側及び非表示面側に付着する前歴画像を消去するステップと、
前記第１透明駆動電極と第２駆動電極間に表示用直流電界を印加し、前記着色泳動微粒子を表示面側に垂直移動させ画像表示するステップと、
表示後再び前記第２透明電極と第３電極間に交流電界を印加して磁場を発生させ、前記絶縁性液体を撹拌し前歴表示画像を消去するステップと、
前記着色泳動微粒子を非表示面側に垂直移動し、表示面側を白色表示するステップとを備える電気泳動表示素子の駆動方法。
【請求項１９】
請求項３に記載の電気泳動表示素子を駆動する方法であって、
前記第１透明電極と第２電極間に交流電界を印加して交流電場を発生し、前記第２透明電極と第３電極間に交流電流を通電して交流磁場を発生して交流電場と交流磁場とを重畳し、白色の前記絶縁性液体を撹拌して、表示面側及び非表示面側に付着する前歴表示画像を消去するステップと、
前記第１透明駆動電極と第２駆動電極間に表示用直流電界を印加し、前記着色泳動微粒子を表示面側に垂直移動させるステップと、
表示後再び前記第１透明電極と第２電極間に交流電界を印加して交流電場を発生し、前記第２透明電極と第３電極間に交流電流を通電して交流磁場を発生して、交流電場と交流磁場とを重畳し絶縁性液体を撹拌して、前歴表示画像を消去するステップと、
前記着色泳動微粒子を非表示面側に垂直移動し、表示面側を白色表示するステップとを備える電気泳動表示素子の駆動方法。
【手続補正２】
【補正対象書類名】明細書
【補正対象項目名】発明の名称
【補正方法】変更
【補正の内容】
【発明の名称】電気泳動表示素子、電気泳動表示装置、着色泳動微粒子、絶縁性液体及び電気泳動表示素子の駆動方法